(57)【要約】【課題】  本発明は、位置調整できるとともに、安定した固定を可能とする中敷を提供する。【解決手段】  足裏に配置できる形状の可撓性シートよりなる上シート体と、該上シート体に設けられツボ位置に設けられた複数の設置孔と、上シート体の下に配置する下シート体と、前記設置孔に下から圧入する複数の突起体とより構成される。【選択図】  図１
2005305069.tif 000002
【特許請求の範囲】
【請求項１】
足裏に配置できる形状の可撓性シートよりなる上シート体と、該上シート体に任意のツボ位置下となるように設けられた複数の設置孔と、上シート体の下に配置する下シート体と、前記設置孔に下から圧入する複数の突起体とより構成され、上シート体と下シート体は重なった状態でずれにくい摩擦力を有する素材よりなるものであり、前記突起体は前記設置孔から抜けない形状大きさである台座と台座上部に設けられ前記設置孔から圧入することにより上シート体表面から突出するとともに抜け防止のテーパ面を有する突起片からなるものであることを特徴とする中敷。
【請求項２】
上シート体あるいは下シート体の少なくともどちらか一方の設置孔配置位置に両シートの接合面側から設けられ前記突起体の台座を収納する台座収納部を設けたことを特徴とする請求項１記載の中敷。
【請求項３】
上シート体と下シート体が周縁部付近の一部で接続機構を介して接続されたものであることを特徴とする請求項１又は２記載の中敷。
【請求項４】
上シート体あるいは下シート体の少なくともどちらか一方に可視できる状態でツボ位置を表示するための表示機構部を具備することを特徴とする請求項１、２又は３記載の中敷。
【請求項５】
突起体の台座が吸盤機構となっていることを特徴とする請求項１、２、３又は４記載の中敷。
【請求項６】
突起体が磁性を有するものであることを特徴とする請求項１、２、３、４又は５記載の中敷。
【請求項７】
突起体が麦飯石、蛇紋岩、角閃石、沸石、蛍石、フェルソング石等の天然放射性を有する微粉末鉱石とズギゴケ、セニゴケ等のコケ類植物を乾燥させ粉末状にした微粉末植物を含有する樹脂よりなるものであることを特徴とする請求項１、２、３、４、５又は６記載の中敷。
【発明の詳細な説明】
【技術分野】
【０００１】  本発明は、位置調整できるとともに、安定した固定を可能とする中敷に関する。
【従来技術】
【０００２】  従来、中敷としてツボを刺激する突起を有するものは多数存在した。当初技術としては、中敷に一体成型で突起を構成し、その位置を移動できないものであった。
その後、表面に面ファスナーを利用して、ツボ押し部材を移動させるものがあらわれたが、この場合面ファスナーの細かな突起が靴下やストッキングなどの素材を傷めるとともに、素足で使用した際に素足を傷つけたり、違和感が生じていた。
これを改良した技術として、中敷に孔を設け、これに突起片を挿入することで、位置調整可能に指圧効果を得られるものが発明されている。
特開２００３−３８２０５としては、中敷に多数の小孔を設け、これに突起片の下に設けられた円筒状の挿入部を挿入し固定するものであった。
特開２００３−３８２０６としては、中敷の項が下方に向かうにつれ広くなるテーパ面をもたせ、突起片の下部にこのテーパ面と同形状の挿入部を設けて上部から圧入する技術があげられている。
特開２００３−５２４０７として、中敷の孔に上部から圧入して下部が孔より若干大きな形状で抜けにくくした技術が開示されている。更には、中敷底面に空間を構成させることで通気性を向上させる技術も開示されている。
【特許文献１】特開２００３−３８２０５
【特許文献２】特開２００３−３８２０６
【特許文献３】特開２００３−５２４０７
【発明が解決しようとする課題】
【０００３】  面ファスナーを利用して位置移動できる技術に関しては前記で説明したような課題が生じるので、ここではその説明を割愛する。
中敷に多数の孔を設け、これに指圧部材を圧入することで位置調整する先行技術に関する課題を以下に説明する。
前記各指圧部材を圧入することにより位置調整する技術においては、全て上部から圧入するものである。上部から圧入するということは上部に抜けるということでもあり、すなわち使用時において抜ける危険性を有するものであった。
本発明は、以上の課題を解決するものである。
【課題を解決するための手段】
【０００４】  足裏に配置できる形状の可撓性シートよりなる上シート体と、該上シート体に任意のツボ位置下となるように設けられた複数の設置孔と、上シート体の下に配置する下シート体と、前記設置孔に下から圧入する複数の突起体とより構成される。
上シート体と下シート体は重なった状態でずれにくい摩擦力を有する素材よりなるものであり、前記突起体は前記設置孔から抜けない形状大きさの台座と台座上部に設けられ前記設置孔から圧入することにより上シート体表面から突出するとともに抜け防止のテーパ面を有する突起片からなる。
【発明の効果】
【０００５】  本発明により、以下の効果を実現した。
体調に応じたツボ押圧位置を容易に設定可能とするのはもちろんのこと、使用において指圧部材の抜けを防ぐとともにその押圧部材の位置づれを防ぎ効率的なツボ刺激を可能とした。
上シート体あるいは下シート体の少なくともどちらか一方に台座収納部を設けることにより、突起体設置により上シート体、下シート体間に生じる隙間をなくすることができ、これにより設置面積が広がり、より摩擦力が高まり安定した突起体の据付が可能となる。また、上シート体が盛り上がることも防止するので突起体により局所的に押圧することが可能となった。
上シート体と下シート体が周縁部付近の一部に接続機構を設けることで、上シート体と下シート体の前後左右のズレを解消するとともに、更に両シート体間のズレを防ぐことが可能となる。
表示機構部を設けることにより、適切なツボ位置に突起対を設置することで的確な刺激を与えることが可能となる。
突起体の台座が吸盤機構とすることにより、吸盤吸着により更に突起体をより安定した状態で取り付けることが可能となった。
磁性を有する突起体を具備することで、押圧の刺激とともに磁性効果により、より効果的なツボ押しを可能とした。
突起体が麦飯石、蛇紋岩、角閃石、沸石、蛍石、フェルソング石等の天然放射性を有する微粉末鉱石とズギゴケ、セニゴケ等のコケ類植物を乾燥させ粉末状にした微粉末植物を含有する樹脂を利用することにより、使用者は遠赤外線の放射をツボ位置に受けることにより、血行促進、細胞の活性化を図ることが可能となる。
さらに、遠赤外線により、細菌の増殖を防ぐ抗菌効果、鉱石特性による消臭効果を得ることが可能となった。
【発明を実施するための最良の手段】
【０００６】  以下、本発明の第一実施の形態について説明する。
図１は本発明の平面図、図２は本発明の下シート体平面図、図３は本発明の斜視図、図４は本発明の側面図、図５は本発明の突起体正面図、図６は本発明の突起体斜視図、図７は本発明の使用断面図、図８は本発明の拡大断面図である。
本発明は、足裏に配置できる形状の可撓性シートよりなる上シート体と、該上シート体に任意のツボ位置下となるように設けられた複数の設置孔と、上シート体の下に配置する下シート体と、前記設置孔に下から圧入する複数の突起体と、上シート体と下シート体の前部で接続する接続部とより構成される。
上シート体１は、図１に示すように足下の配置するものであり、好ましくは足裏の形状にあわせたものである。図１に示すように上シート体１には、複数の設置孔２が設けられている。図に示す事例では全体に均等に設置孔２が配置されているが、配置に関してはこれに限定されるものではなく、任意のツボ位置になるものであれば、その配置パターンは限定されるものではない。
下シート体３は図２に示すように上シート体１と同形状となっている。図に示す事例においては透過性のあるものであり、図３に示すように下部にツボ位置を示す表記が印刷などで施され下シート体３の上部からみて可視できるツボ位置表示層９が設けられている。ツボ位置表示層９はシート表面に印刷するものはもちろん、下シート体３の下面に直接印刷する方法など、従来利用される技術がもちいられる。
上シート体１および下シート体３の素材に関しては、少なくとも上シート体１は可撓性のあるものであり、相互のシート体の少なくともいずれか一方のシート体は上シート体１上に足を乗せた際に接触面において摩擦力の高いものであり、使用において位置づれのおこしにくい塩化ビニールや合成樹脂、ゴム配合物等の高摩擦力を有するものである。
これら上下シート体は、接続部８により接続されている。図に示す事例においては高接着性のものであり、両面テープや接着剤をはじめとし、上下シート体の溶着など、接続に利用する従来技術により接続する。図に示す事例においては先端で接続されるように設けられているが、突起体４を取り付け可能であり、上下シート体のズレを防ぐ目的を達するものであればよく、その方法や構造は問わない。
突起体４は図５、図６に示すように台座部５とこれに立設された突起片６から構成される。図においては台座部５は円盤状となっているが、形状はこれに限定されるもんではなく、上シート体１の設置孔２から抜けない形状であればよく、突起片６と一体構造を維持する範囲で薄いものが好もしい。また、台座部５はストッパー機能を果たすために突起片６の直径よりも大きいのが好ましい。
突起片６は設置孔２に下から圧入させるものであり、圧入した状態で上シート体１表面から突出する。また、設置孔２からの抜けにくいようにテーパ面を有する。
本発明は以上の構成よりなる。
本発明を使用するときは、図４に示すように上シート体１を接続部８の反対側からもちあげる。
次に、足裏の目的とするツボ位置をツボ位置表記部９の表記をみて押圧する位置に該当する設置孔２に突起体４を圧入する。この際、突起体４は複数あり、そのツボ刺激目的にあわせて任意数の突起体４を任意位置に設定する。
その状態で図７、図８に示すように上シート体１を下ろし、下シート体３に接面させる。その状態で履物内に敷き使用する。
この際、設置孔２に挿入された突起体４の突起片６は図８に示すように抜け防止の逆テーパ面の最も幅の広がった最上部が上シート体１の表面から突出し抜けにくい状態となっている。また、台座部５が設置孔２よりも大きいため、ストッパーの役割をし上に抜けるのを防ぐ。図５、図６に示すように突起片６の上部先端が更に上方に突出し中心位置の最突出部を中心として足裏をポイント刺激する。
この際、上シート体１と下シート体３は相互の摩擦力により固定され、使用において突起体４のズレを防ぎ、同じツボ位置を刺激し続けることが可能となる。
【０００７】  以下、本発明の第二実施の形態を図９から図１２を利用して説明する。
図９は本発明の第二実施の斜視分解図、図１０は本発明の第二実施の分解断面図、図１１は本発明の第二実施の使用断面図、図１２は本発明の第二実施の拡大断面図である。
本発明にあっては、基本構成においては第一実施の形態と同様であるが、より突起体の安定固定を図るために下シート体３の上部に台座収納部７が設けられている。台座収納部７は、上シート体１の設置孔２の下位置にそれぞれ配置されたものであり、突起体４の台座形状にあわせ台座５が収納されるものである。
これを利用する際は、第一実施形態と同様に突起体４を配置したい任意位置にある設置孔２に突起片６を圧入する。その上で上シート１と下シート３を重ねあわせる。この際、台座５は台座収納部７に収納され上シート体１は台座５により盛り上がることはなく、図１２に示すように前面がぴったりと接面する。これにより上下シート間の摩擦力は向上し、よりズレを生まない固定性を得ることができるとともに、足裏に対して不要な盛り上がりをなくし突起体４のみが刺激をあたえる好感触を得ることができる。また、台座５が台座収納部７に固定されているため、より上下シート間の固定性と突起体４の固定性を向上させることができる。
尚、図においては台座収納部７の口径と設置孔２の口径が同じ状態となっているが、設置孔２の口径を突起片６の圧入を可能とする範囲で小さくすることにより、台座部５を台座収納部７に押し付けより固定性を高めることが可能となる。
【０００８】  以下、本発明の第三実施の形態を図９から図１２を利用して説明する。
図１３は本発明の第三実施の分解断面図、図１４は本発明の第三実施の使用断面図、図１５は本発明の第三実施の拡大断面図である。
本事例は第二実施の形態と同様に台座収納部を利用するものであるが、これを上シート体１に設置孔２と一体に設けたものである。すなわち、上シート体１には前記各事例と同様に設置孔２が設けられているが、下側が台座５にあわせて形状を広げ台座５を収納できるものとしている。
これにより、上下シート体間の余分な隙間の発生を防ぎ摩擦力を高めるとともに、不要な盛り上がりによる足裏への圧迫を回避し、快適にしようすることが可能となる。
但し、下シート体の台座収納部を利用した第二実施形態と比較した場合においては、台座収納部を利用した固定性を得ることはできない。
【０００９】  以上、各実施の形態を説明したが、ツボ位置表示層９や突起体４については、これ以外にも変更が可能である。
ツボ位置表示層９に関しては、下シート体１下面に限定されるものではなく、上シート体１に配置することも可能である。更に、各シート体において、突起体４を設置孔２に圧入する際そのツボ位置を理解させるものであれば上面、下面を問わない。
【００１０】  突起体４の突起片６に関しては、その大きさは同一として各実施の形態にて説明したが、指圧場所の合わせて高さや幅の異なるものを利用することも可能である。
図１６に示す事例においては、突起片６ａに対し、突起片６ｂは幅は同じだが頂点が高い位置にあり、より強い刺激を与えるものとなっている。突起片６ｃは、突起片６ｂと同様に頂点が高いが、刺激を和らげるために幅も広くなっている。大きさや形状はこれに限定されるものではなく、各種パターンが可能である。また、突起体４の大きさや形状にあわせて設置孔２の大きさも各種態様がとられる。また、異なる大きさの設置孔２を組み合わせることも可能である。
【００１１】  また、図１７、図１８に示すように台座部を吸盤状の吸盤部１０にすること可能である。この際は一体で製造するのであれば吸盤効力を生み出す弾性を有するとともに上部突起片６がツボ刺激効果を生み出す素材とする。また、図には示していないが、剛性のある突起片６と吸盤効力を生み出す弾性を有する吸盤部１０にわけ、これを結合することで突起体４を構成するようすることも可能である。結合手段においては、従来もちいられる各種結合手段が検討される。
【００１２】  突起体４の形状、大きさ以外に、素材に関しても各種態様が可能となる。
突起体４に関しては使用に耐えられる剛性を有するものであればよいが、磁性体を有する素材を利用することにより、刺激とあわせて磁力効果を生み出すことも可能である。
【００１３】  麦飯石、蛇紋岩、角閃石、沸石、蛍石、フェルソング石等の天然放射性を有する微粉末鉱石とズギゴケ、セニゴケ等のコケ類植物を乾燥させ粉末状にした微粉末植物を液化樹脂の主剤へ添加混合し、これに凝固効果を生む副剤を添加することで、遠赤外線を発生するとともに、鉱石特性による消臭効果のある樹脂を突起体に利用することも可能である。
麦飯石、蛇紋岩、角閃石、沸石、蛍石、フェルソング石等の天然放射性を有する微粉末鉱石は、体温の昇温によって４μｍ乃至１０００μｍの遠赤外線を放射するものであり、足裏のツボに遠赤外線が届き、血液の血行が促進し、細胞の働きが活性化し、新陳代謝の促進が図られる。
そして、ズギゴケ、セニゴケ等のコケ類植物は極微量の太陽光で光合成を成し得る植物であり、天日干し工程を含む乾燥工程を経て乾燥させ微粉末状にしたものである。コケ類植物は消臭効果をもつことは周知である。したがって、コケ類植物を含有させることによって消臭特性による足裏及び中敷の消臭を実現した。
【図面の簡単な説明】
【００１４】
【図１】  本発明の平面図
【図２】  本発明の下シート体平面図
【図３】  本発明の斜視図
【図４】  本発明の側面図
【図５】  本発明の突起体正面図
【図６】  本発明の突起体斜視図
【図７】  本発明の使用断面図
【図８】  本発明の拡大断面図
【図９】  本発明の第二実施の斜視分解図
【図１０】  本発明の第二実施の分解断面図
【図１１】  本発明の第二実施の使用断面図
【図１２】  本発明の第二実施の拡大断面図
【図１３】  本発明の第三実施の分解断面図
【図１４】  本発明の第三実施の使用断面図
【図１５】  本発明の第三実施の拡大断面図
【図１６】  本発明のその他の突起体説明断面図
【図１７】  本発明のその他の突起体断面図
【図１８】  本発明のその他の突起体断面図
【符号の説明】
【００１５】１  上シート体、
２  設置孔、
３  下シート、
４  突起体、
５  台座、
６；６ａ；６ｂ；６ｃ  突起片、
７  台座収納部、
８  接続部、
９  ツボ位置表示層、
１０  吸盤部
【図１】
2005305069.tif 000003
【図２】
2005305069.tif 000004
【図３】
2005305069.tif 000005
【図４】
2005305069.tif 000006
【図５】
2005305069.tif 000007
【図６】
2005305069.tif 000008
【図７】
2005305069.tif 000009
【図８】
2005305069.tif 000010
【図９】
2005305069.tif 000011
【図１０】
2005305069.tif 000012
【図１１】
2005305069.tif 000013
【図１２】
2005305069.tif 000014
【図１３】
2005305069.tif 000015
【図１４】
2005305069.tif 000016
【図１５】
2005305069.tif 000017
【図１６】
2005305069.tif 000018
【図１７】
2005305069.tif 000019
【図１８】
2005305069.tif 000020